(57)【特許請求の範囲】
【請求項１】
音源回路を備えるコンピュータが接続され、該コンピュータの音源回路から供給されるサウンド信号を発音する拡張ステーションであって、
前記コンピュータから供給されるサウンド信号の無音状態を常時検出する無音状態検出手段と、
前記無音状態検出手段で無音状態が検出されたとき、出力部にサウンド信号を供給する信号線上に設けられたスイッチをオフして、該出力部による発音を停止させる発音停止手段と、
前記無音状態検出手段で無音状態が検出されたとき、前記コンピュータから供給されるサウンド信号のノイズの周波数を検出する周波数検出手段と、
前記無音状態検出手段で無音状態が検出されない有音時に、前記コンピュータから供給されるサウンド信号から前記周波数検出手段により検出されたノイズ周波数を減衰させるフィルタ手段と、
前記コンピュータから供給されるサウンド信号を発音するために増幅する出力用増幅手段と、
前記コンピュータから供給されるサウンド信号をノイズ周波数を検出するために増幅する検出用増幅手段と、
前記無音状態検出手段で無音状態が検出されたとき、前記出力用増幅手段及びフィルタ手段への電源の供給を停止させる電源スイッチ手段と、
前記無音状態検出手段で無音状態が検出されない有音時に、前記検出用増幅手段の出力するサウンド信号の前記無音状態検出手段への供給を停止させるスイッチ手段を有することを特徴とする拡張ステーション。
【請求項２】
請求項１記載の拡張ステーションにおいて、
前記周波数検出手段で検出されたノイズ周波数を格納する格納手段を有し、
前記フィルタ手段は、前記無音状態検出手段で無音状態が検出されない有音時に、前記コンピュータから供給されるサウンド信号から前記格納手段に格納されているノイズ周波数を減衰させることを特徴とする拡張ステーション。
【請求項３】
請求項１記載の拡張ステーションにおいて、
前記格納手段に格納されたノイズの周波数のピーク周波数を検出し、検出した該ピーク周波数が可聴周波数範囲内か否かを判別する周波数判別手段と、
前記周波数判別手段で判別された前記ピーク周波数が可聴周波数範囲外であれば前記フィルタ手段によるサウンド信号のノイズ周波数の減衰処理を無効にし、また可聴周波数範囲内であれば前記フィルタ手段によるサウンド言号のノイズ周波数の減衰処理を有効にする設定手段と、
を有することを特徴とする拡張ステーション。
【請求項４】
請求項１記載の拡張ステーションにおいて、
前記無音状熊検出手段で無音状態が検出されたとき、前記コンピュータから供給されるサウンド信号のノイズのレベルを検出するレベル検出手段を有し、
前記格納手段は前記レベル検出手段により検出されたノイズのレベルを格納し、
前記フィルタ手段は前記格納手段に格納されたノイズのレベルが所定の基準値以上であれば、前記無音状態検出手段で無音状態が検出されない有音時に、前記コンピュータから供給されるサウンド信号から前記格納手段に格納されているノイズ周波数を減衰させることを特徴とする拡張ステーション。
【請求項５】
音源回路を有するコンピュータと、前記コンピュータに接続される拡張ステーションとからなるシステムにおいて、
前記コンピュータは、
前記音源回路からのサウンド信号を前記拡張ステーションに供給し、
前記拡張ステーションは、前記コンピュータから供給されるサウンド信号の無音状態を常時検出する無音状態検出手段と、
前記無音状態検出手段で無音状態が検出されたとき、出力部にサウンド信号を供給する信号線上に設けられたスイッチをオフして、該出力部による発音を停止させる発音停止手段と、
前記無音状態検出手段で無音状態が検出されたとき、前記コンピュータから供給されるサウンド信号のノイズの周波数を検出する周波数検出手段と、
前記無音状態検出手段で無音状態が検出されない有音時に、前記コンピュータから供給されるサウンド信号から前記周波数検出手段により検出されたノイズ周波数を減衰させるフィルタ手段と、
前記コンピュータから供給されるサウンド信号を発音するために増幅する出力用増幅手段と、
前記コンピュータから供給されるサウンド信号をノイズ周波数を検出するために増幅する検出用増幅手段と、
前記無音状態検出手段で無音状態が検出されたとき、前記出力用増幅手段及びフィルタ手段への電源の供給を停止させる電源スイッチ手段と、
前記無音状態検出手段で無音状態が検出されない有音時に、前記検出用増幅手段の出力するサウンド信号の前記無音状態検出手段への供給を停止させるスイッチ手段を有することを特徴とするシステム。
【請求項６】
請求項５記載のシステムにおいて、
前記周波数検出手段で検出されたノイズ周波数を格納する格納手段を有し、
前記フィルタ手段は、前記無音状態検出手段で無音状態が検出されない有音時に、前記コンピュータから供給されるサウンド信号から前記格納手段に格納されているノイズ周波数を減衰させることを特徴とするシステム。
【請求項７】
請求項５記載のシステムにおいて、
前記格納手段に格納されたノイズの周波数のピーク周波数を検出し、検出した該ピーク周波数が可聴周波数範囲内か否かを判別する周波数判別手段と、
前記周波数判別手段で判別された前記ピーク周波数が可聴周波数範囲外であれば前記フィルタ手段によるサウンド信号のノイズ周波数の減衰処理を無効にし、また可聴周波数範囲内であれば前記フィルタ手段によるサウンド言号のノイズ周波数の減衰処理を有効にする設定手段と、
を有することを特徴とするシステム。
【請求項８】
請求項５記載のシステムにおいて、
前記無音状熊検出手段で無音状態が検出されたとき、前記コンピュータから供給されるサウンド信号のノイズのレベルを検出するレベル検出手段を有し、
前記格納手段は前記レベル検出手段により検出されたノイズのレベルを格納し、
前記フィルタ手段は前記格納手段に格納されたノイズのレベルが所定の基準値以上であれば、前記無音状態検出手段で無音状態が検出されない有音時に、前記コンピュータから供給されるサウンド信号から前記格納手段に格納されているノイズ周波数を減衰させることを特徴とするシステム。
【発明の詳細な説明】
【０００１】
【発明の属する技術分野】
本発明は、拡張ステーション及びそのシステムに関し、特にノート型パーソナルコンピュータの拡張ステーションに用いられパーソナルコンピュータから供給されるサウンド信号のノイズを除去する拡張ステーション及びそのシステムに関する。
【０００２】
近年、ノート型パーソナルコンピュータには必要最小限の機能を持たせて小型及び薄型化を進めて携帯性を向上させ、拡張機能はそのノート型パーソナルコンピュータを接続できる拡張ステーションに搭載することが行われている。
【０００３】
【従来の技術】
図６にノート型パーソナルコンピュータと拡張ステーションとの接続を示す。同図中、ノート型パーソナルコンピュータ１０は例えば２２０ピンの専用コネクタ１５によって拡張ステーション２０に接続される。拡張ステーション２０にはＣＤ−ＲＯＭ装置２２，フレキシブルディスク装置２４，音声モジュール（サウンド装置）２６，ＬＡＮモジュール２８，プリンタインタフェース３０，モデムインタフェース３２，ＣＲＴインタフェース３４等の各種機能が搭載されており、コネクタ３５にはプリンタ３６が接続され、コネクタ３７にはモデム３８が接続され、コネクタ３９にはＣＲＴディスプレイ４０が接続されている。
【０００４】
拡張ステーション２０内のＣＤ−ＲＯＭ装置２２，フレキシブルディスク装置２４，音声モジュール２６，ＬＡＮモジュール２８，プリンタインタフェース３０，モデムインタフェース３２，ＣＲＴインタフェース３４等の各種機能はノート型パーソナルコンピュータ１０からの指示に応じて動作を行う。例えば音声モジュール２６はノート型パーソナルコンピュータ１０内蔵する音源回路で発生されたアナログの音声信号を専用コネクタ１５を介して供給され、この音声信号を音声モジュール２６内の高性能アンプ（ノート型パーソナルコンピュータの内蔵アンプに対して高性能）で増幅した後、高性能スピーカで発音する。
【０００５】
【発明が解決しようとする課題】
ここで、ノート型パーソナルコンピュータ１０を拡張ステーション２０に接続した場合、ノート型パーソナルコンピュータ１０の音源回路の電源と拡張ステーション２０の音声モジュール２６の電源とが異なるため、両電源の電源電圧又はアースレベルに電位差があると音声ノイズが発生する。また、ノート型パーソナルコンピュータ１０の音源回路と拡張ステーション２０の音声モジュール２６とのインピーダンス整合を厳密にとることは困難であり、上記のインピーダンス不整合により音声ノイズが発生する。このような音声ノイズは有音時には目立たないものの、無音時にはハッキリ聞こえてしまうという問題がある。
【０００６】
ところで、特開昭５８−９６４４８号公報には、音声信号が無情報であることを検出すると、この検出から所定時間後に自動的に装置の電源を遮断する装置についての記載がある。
また、特開平４−１６４４８５号公報には、コードレス電話子機の通話中の受信音が無い無音時を判別し、その無音時に制御信号を生成して子機の電源を無音判別部を除いて遮断することが記載されている。
【０００７】
上記の特開昭５８−９６４４８号公報に記載された装置を拡張ステーション２０の音声モジュール２６に適用した場合、無音を検出して所定時間後に音声モジュール２６の電源を遮断することになり、この後にノート型パーソナルコンピュータ１０の音源回路から音声信号が供給されたときに音声モジュール２６では発音することができないという問題が生じる。
【０００８】
また、上記の特開昭５８−９６４４８号公報に記載された装置を拡張ステーション２０の音声モジュール２６に適用した場合も同様に、無音を判別して音声モジュール２６の電源を遮断することになり、この後にノート型パーソナルコンピュータ１０の音源回路から音声信号が供給されたときに音声モジュール２６では直ちに発音することができないという問題が生じる。
【０００９】
本発明は、上記の点に鑑みなされたもので、無音時にノイズが発音されることを防止して拡張ステーションにおける音声品質を向上させる拡張ステーション及びそのシステムを提供することを目的とする。
【００１０】
【課題を解決するための手段】
請求項１に記載の発明は、音源回路を備えるコンピュータが接続され、該コンピュータの音源回路から供給されるサウンド信号を発音する拡張ステーションであって、
前記コンピュータから供給されるサウンド信号の無音状態を常時検出する無音状態検出手段と、
前記無音状態検出手段で無音状態が検出されたとき、出力部にサウンド信号を供給する信号線上に設けられたスイッチをオフして、該出力部による発音を停止させる発音停止手段と、
前記無音状態検出手段で無音状態が検出されたとき、前記コンピュータから供給されるサウンド信号のノイズの周波数を検出する周波数検出手段と、
前記無音状態検出手段で無音状態が検出されない有音時に、前記コンピュータから供給されるサウンド信号から前記周波数検出手段により検出されたノイズ周波数を減衰させるフィルタ手段と、
前記コンピュータから供給されるサウンド信号を発音するために増幅する出力用増幅手段と、
前記コンピュータから供給されるサウンド信号をノイズ周波数を検出するために増幅する検出用増幅手段と、
前記無音状態検出手段で無音状態が検出されたとき、前記出力用増幅手段及びフィルタ手段への電源の供給を停止させる電源スイッチ手段と、
前記無音状態検出手段で無音状態が検出されない有音時に、前記検出用増幅手段の出力するサウンド信号の前記無音状態検出手段への供給を停止させるスイッチ手段を有する。
【００１１】
このように、無音状態が検出されたとき前記パーソナルコンピュータから供給されるサウンド信号の発音を停止させることにより、無音時にノイズが発音されることを防止でき、これによって、拡張ステーションにおける音声品質を向上させることができる。
【００１２】
また、無音時にパーソナルコンピュータから供給されるサウンド信号のノイズの周波数を検出しておき、有音時にパーソナルコンピュータから供給されるサウンド信号からノイズ周波数を減衰させることにより、パーソナルコンピュータから供給されるサウンド信号からノイズを除去して発音することができる。
【００１３】
また、サウンド信号を発音するために増幅する出力用増幅手段の他に、ノイズ周波数を検出するために増幅する検出用増幅手段を有するため、検出用増幅手段の増幅度を大きくして無音状態を高精度に検出できる。
【００１４】
また、無音時には出力用増幅手段及びフィルタ手段への電源の供給を停止させるため、無音時の消費電力を低減することができる。
【００１５】
また、無音状態が検出されない有音時に、検出用増幅手段の出力するサウンド信号の無音状態検出手段への供給を停止させることにより、有音時に過大なサウンド信号が無音状態検出手段に供給されることを防止できる。
【００１６】
【発明の実施の形態】
図１は本発明の拡張ステーションのサウンド装置を適用した拡張ステーションの一実施例の構成図を示す。同図中、ノート型パーソナルコンピュータ１０の内蔵する音源回路１１の出力するアナログの音声信号（サウンド信号）が専用コネクタ１５を介して拡張ステーション２０に搭載された音声モジュール（サウンド装置）２６内のスピーカ出力用アンプ５０，ノイズ測定アンプ５２それぞれに並列に供給される。
【００１７】
スピーカ出力用アンプ５０は音声信号レベルをスピーカで発音できる程度のレベルに増幅する通常のゲインを有し、ここで増幅された音声信号はベルフィルタ５４，マイクロプロセッサ５６，ノイズ測定スイッチ５８それぞれに供給される。上記のベルフィルタ５４の出力する音声信号はアナログスイッチ６０に供給され、アナログスイッチ６０が導通しているときこれを通してスピーカ６２に供給されて発音される。
【００１８】
ノイズ測定アンプ５２は音声信号レベルを通常のゲインに比して数倍程度のゲインを有し、ここで増幅された音声信号はスイッチ５８に供給される。ノイズ測定スイッチ５８はマイクロプロセッサ５６の後述するような制御によりオン／オフされ、そのオン時にノイズ測定アンプ５２の出力する音声信号をマイクロプロセッサ５６に供給する。
【００１９】
マイクロプロセッサ５６はノイズ測定スイッチ５８のオフ時にはスピーカ出力用アンプ５０より供給される音声信号を選択し、ノイズ測定スイッチ５８のオン時にはノイズ測定アンプ５２の出力する音声信号を選択して内蔵のＡＤコンバータでデジタル化し、デジタル音声信号レベルに応じてベルフィルタ５４及び電源スイッチ６４の切り替え制御を行う。電源回路６６は拡張ステーション２０の電源オン時には常時、ノイズ測定アンプ５２，マイクロプロセッサ５６，電源スイッチ６４それぞれに動作用の電源を供給している。電源スイッチ６４はマイクロプロセッサ５６の制御により電源回路６６よりの電源のスピーカ出力用アンプ５０，ベルフィルタ５４，アナログスイッチ６０それぞれへの供給を切り替えられ、また、これとは別にマイクロプロセッサ５６の制御により電源回路６６よりの電源のノイズ測定アンプ５２への供給を切り替えられる。
【００２０】
図２はマイクロプロセッサ５６が実行するノイズパターン登録処理の一実施例のフローチャートを示す。なお、動作開始時にはマイクロプロセッサ５６はノイズ測定スイッチ５８にスピーカ出力用アンプ５０の出力する音声信号を選択させている。同図中、ステップＳ１０でマイクロプロセッサ５６はスピーカ出力用アンプ５０の出力する音声信号を所定期間（例えば３秒）連続サンプリングして、常に所定の基準値ＶＡ（ＶＡは例えば０．０６Ｖ）以上か否かを判別する。ここで、音声信号レベルが所定期間連続して基準値ＶＡ以上であれば、有音状態であるとして後述の通常処理のルーチンに進む。
【００２１】
一方、音声信号レベルが基準値ＶＡ未満であれば、無音状態であるとしてステップＳ１２に進む。ステップＳ１２でマイクロプロセッサ５６は、電源スイッチ６４を制御してノイズ測定アンプ５２への電源供給を行わせ、ノイズ測定スイッチ５８をオンさせてノイズ測定アンプ５２の出力する音声信号をマイクロプロセッサ５６に供給させる。また、電源スイッチ６４を制御してスピーカ出力用アンプ５０，ベルフィルタ５４，アナログスイッチ６０それぞれへの電源供給を停止させる。
【００２２】
これによって、スピーカ６２からノイズが発音されることを防止できる。また、スピーカ出力用アンプ５０，ベルフィルタ５４，アナログスイッチ６０それぞれでの電力消費を停止させて、消費電力を低減することができる。
次に、ステップＳ１６でマイクロプロセッサ５６はノイズ測定アンプ５２の出力する音声信号を所定期間（例えば３秒）連続サンプリングして、ノイズのピークレベル及びピーク周波数を検出する。その後、ステップＳ１６で今回検出されたノイズのピーク周波数が過去に検出されて記憶されているノイズのピーク周波数と同程度か否かを判別し、同程度であればステップＳ１０に進み、異なっていればステップＳ１８に進む。
【００２３】
ステップＳ１８でマイクロプロセッサ５６は、ステップＳ１６でサンプリングしたノイズのピークレベルが所定の基準値ＶＢ（ＶＢは例えば０．０２Ｖ）以上か否かを判別する。ここで、ノイズのピークレベルが所定の基準値ＶＢ以上であればステップＳ２４に進み、ノイズのピークレベルが所定の基準値ＶＢ未満であればステップＳ２０に進む。ステップＳ２０でマイクロプロセッサ５６は、ステップＳ１６でサンプリングしたノイズのピーク周波数が可聴周波数範囲内（数１０〜２ＫＨｚ）か否かを判別する。ここで、ノイズのピーク周波数が可聴周波数範囲外であればステップＳ２４に進み、ノイズ周波数が可聴周波数範囲内であればステップＳ２２に進む。
【００２４】
ステップＳ２２でマイクロプロセッサ５６は、今回検出されたノイズのピーク周波数によって、マイクロプロセッサ５６に内蔵されているメモリに、過去に記憶されているノイズのピーク周波数を書き換えてステップＳ１０に進む。これにより、ベルフィルタ５４の減衰する音声信号の周波数が可変される。一方、ステップＳ２４では過去に記憶されているノイズのピーク周波数を消去してステップＳ１０に進む。これにより、ベルフィルタ５４では音声信号を減衰すること無く通過させる。
【００２５】
図３はマイクロプロセッサ５６が実行する通常処理の一実施例のフローチャートを示す。この処理は、図２のステップＳ１０でスピーカ出力用アンプ５０の出力する音声信号を所定期間（例えば３秒）連続サンプリングして、常に所定の基準値ＶＡ（ＶＡは例えば０．０６Ｖ）以上となったときに開始される。図３において、ステップＳ３０でマイクロプロセッサ５６は、電源スイッチ６４を制御してノイズ測定アンプ５２への電源供給を停止させ、ノイズ測定スイッチ５８をオフさせてノイズ測定アンプ５２の出力する音声信号のマイクロプロセッサ５６への供給を停止させる。また、電源スイッチ６４を制御してスピーカ出力用アンプ５０，ベルフィルタ５４，アナログスイッチ６０それぞれへの電源供給を行わせる。そして、ステップＳ２２で書き込まれたノイズのピーク周波数を減衰させるための選択制御信号を生成してベルフィルタ５４に供給する。
【００２６】
これによって、ノート型パーソナルコンピュータ１０の内蔵する音源回路１１からの音声信号がスピーカ出力用アンプ５０，ベルフィルタ５４，アナログスイッチ６０それぞれを通してスピーカ６２に供給されて発音される。
次に、ステップＳ３２でマイクロプロセッサ５６はスピーカ出力用アンプ５０の出力する音声信号をサンプリングして、常に所定の基準値ＶＡ（ＶＡは例えば０．０６Ｖ）以上か否かを判別する。ここで、音声信号レベルが基準値ＶＡ以上であれば、有音状態であるとしてこのステップＳ３２を繰り返す。一方、音声信号レベルが基準値ＶＡ未満であれば、無音状態であるとして図２のノイズパターン登録処理に進む。
【００２７】
図４はベルフィルタ５４の一実施例のブロック構成図を示す。同図中、端子７０にはスピーカ出力用アンプ５０から音声信号が入来し、帯域除去フィルタ７２1 〜７２N それぞれに供給される。帯域除去フィルタ７２1 〜７２N は減衰させる周波数を音声周波数帯域内でそれぞれ異ならせており、それぞれで減衰された音声信号はセレクタ７４に供給される。セレクタ７４にはこの他に端子７０から直接音声信号が供給されている。セレクタ７４は端子７６にマイクロプロセッサ５６から供給される選択制御信号に応じて、端子７０及び帯域除去フィルタ７２1 〜７２N から供給された音声信号のいずれか１つを選択して端子７８より出力する。
【００２８】
図５はアナログスイッチ６０の一実施例の回路構成図を示す。同図中、端子８０にはベルフィルタ５４の出力する音声信号が入来し、コンデンサＣ１を通った後、電源端子ＶCCと接地端子との間に設けられた抵抗Ｒ１，Ｒ２の接続点から直流レベルを付加（オフセット）されて、ｎチャネルＭＯＳトランジスタとｐチャネルＭＯＳトランジスタとで構成されたスイッチ８２，８４それぞれの入力端子に供給される。
【００２９】
また、端子８６にはマイクロプロセッサ５６から、オン／オフの制御信号が供給され、この制御信号は抵抗Ｒ３及びダイオードＤ１〜Ｄ４で構成されるリミッタによりハイレベル及びローレベルそれぞれの電圧を制限されてインバータ８８に供給される。インバータ８８で反転された制御信号はスイッチ８２，８４それぞれのｐチャネルＭＯＳトランジスタのゲートに供給され、更に、スイッチ９２を構成するｎチャネルＭＯＳトランジスタのゲートに供給され、更に、インバータ９０に供給される。
【００３０】
インバータ９０で非反転とされた制御信号はスイッチ８２，８４それぞれのｎチャネルＭＯＳトランジスタのゲートに供給される。スイッチ９２はオン時にスイッチ８２，８４それぞれの出力端子を接地するためのものである。スイッチ８２，８４それぞれの出力端子は共通接続されており、コンデンサＣ２を通して出力端子９４に接続されている。スイッチ８２，８４はオン抵抗を低下させるために並列に設けられている。
【００３１】
ここで、端子８６よりの制御信号がハイレベルの時、スイッチ９２がオフし、スイッチ８２，８４のｎチャネルＭＯＳトランジスタとｐチャネルＭＯＳトランジスタが共にオンして端子８０より供給される音声信号が出力端子９４より出力される。
一方、端子８６よりの制御信号がローレベルの時、スイッチ９２がオンし、スイッチ８２，８４のｎチャネルＭＯＳトランジスタとｐチャネルＭＯＳトランジスタが共にオフして出力端子９４は接地状態とされる。
【００３２】
このように、無音状態が検出されたときノート型パーソナルコンピュータ１０から供給される音声信号の発音を停止させることにより、ノート型パーソナルコンピュータ１０の音源回路の電源と拡張ステーション２０の音声モジュール２６の電源とが異なるために発生するノイズ、及びノート型パーソナルコンピュータ１０の音源回路と拡張ステーション２０の音声モジュール２６とのインピーダンスの不整合によって発生するノイズが無音時に発音されることを防止でき、これによって、拡張ステーションにおける音声品質を向上させることができる。
【００３３】
また、無音時にノート型パーソナルコンピュータ１０から供給される音声信号のノイズの周波数を検出しておき、有音時にパーソナルコンピュータから供給される音声信号からノイズ周波数を減衰させることにより、パーソナルコンピュータから供給される音声信号からノイズを除去して発音することができる。
更に、音声信号を発音するために増幅するスピーカ出力用アンプ５０の他に、無音状態の検出のために増幅するノイズ測定アンプ５２を有するため、ノイズ測定アンプ５２の増幅度を大きくして無音状態を高精度に検出でき、無音時にはスピーカ出力用アンプ５０及びベルフィルタ５４への電源の供給を停止させて、無音時の消費電力を低減することができる。また、スイッチ５８により有音時にノイズ測定アンプ５２の出力する音声信号のマイクロプロセッサ５６への供給を停止させることにより、有音時に過大な音声信号がマイクロプロセッサ５６に供給されることを防止できる。
【００３４】
なお、ステップＳ１０が無音状態検出手段に対応し、アナログスイッチ６０が発音停止手段に対応し、ステップＳ２２が周波数検出手段に対応し、マイクロプロセッサ５６に内蔵されているメモリが格納手段に対応し、ベルフィルタ５４がフィルタ手段に対応し、スピーカ出力用アンプ５０が出力用増幅手段に対応し、ノイズ測定アンプ５２が検出用増幅手段に対応し、スイッチ５８がスイッチ手段に対応する。
【００３５】
【発明の効果】
上述の如く、請求項１に記載の発明は、音源回路を備えるコンピュータが接続され、該コンピュータの音源回路から供給されるサウンド信号を発音する拡張ステーションであって、
前記コンピュータから供給されるサウンド信号の無音状態を常時検出する無音状態検出手段と、
前記無音状態検出手段で無音状態が検出されたとき、出力部にサウンド信号を供給する信号線上に設けられたスイッチをオフして、該出力部による発音を停止させる発音停止手段と、
前記無音状態検出手段で無音状態が検出されたとき、前記コンピュータから供給されるサウンド信号のノイズの周波数を検出する周波数検出手段と、
前記無音状態検出手段で無音状態が検出されない有音時に、前記コンピュータから供給されるサウンド信号から前記周波数検出手段により検出されたノイズ周波数を減衰させるフィルタ手段と、
前記コンピュータから供給されるサウンド信号を発音するために増幅する出力用増幅手段と、
前記コンピュータから供給されるサウンド信号をノイズ周波数を検出するために増幅する検出用増幅手段と、
前記無音状態検出手段で無音状態が検出されたとき、前記出力用増幅手段及びフィルタ手段への電源の供給を停止させる電源スイッチ手段と、
前記無音状態検出手段で無音状態が検出されない有音時に、前記検出用増幅手段の出力するサウンド信号の前記無音状態検出手段への供給を停止させるスイッチ手段を有する。
【００３６】
このように、無音状態が検出されたとき前記パーソナルコンピュータから供給されるサウンド信号の発音を停止させることにより、無音時にノイズが発音されることを防止でき、これによって、拡張ステーションにおける音声品質を向上させることができる。
【００３７】
また、無音時にパーソナルコンピュータから供給されるサウンド信号のノイズの周波数を検出しておき、有音時にパーソナルコンピュータから供給されるサウンド信号からノイズ周波数を減衰させることにより、パーソナルコンピュータから供給されるサウンド信号からノイズを除去して発音することができる。
【００３８】
また、サウンド信号を発音するために増幅する出力用増幅手段の他に、ノイズ周波数を検出するために増幅する検出用増幅手段を有するため、検出用増幅手段の増幅度を大きくして無音状態を高精度に検出できる。
【００３９】
また、無音時には出力用増幅手段及びフィルタ手段への電源の供給を停止させるため、無音時の消費電力を低減することができる。
【００４０】
また、無音状態が検出されない有音時に、検出用増幅手段の出力するサウンド信号の無音状態検出手段への供給を停止させることにより、有音時に過大なサウンド信号が無音状態検出手段に供給されることを防止できる。
【図面の簡単な説明】
【図１】本発明の拡張ステーションのサウンド装置を適用した拡張ステーションの一実施例の構成図である。
【図２】マイクロプロセッサが実行するノイズパターン登録処理の一実施例のフローチャートである。
【図３】マイクロプロセッサが実行する通常処理の一実施例のフローチャートである。
【図４】ベルフィルタ５４の一実施例のブロック構成図である。
【図５】アナログスイッチ６０の一実施例の回路構成図である。
【図６】ノート型パーソナルコンピュータと拡張ステーションとの接続を示す図である。
【符号の説明】
１０  ノート型パーソナルコンピュータ
１５  専用コネクタ
２０  拡張ステーション
５０  スピーカ出力用アンプ
５２  ノイズ測定アンプ
５４  ベルフィルタ
５６  マイクロプロセッサ
５８  ノイズ測定スイッチ
６０  アナログスイッチ
６２  スピーカ
７２1 〜７２N   帯域除去フィルタ
７４  セレクタ
【図１】
0004045003.tif 000002
【図２】
0004045003.tif 000003
【図３】
0004045003.tif 000004
【図４】
0004045003.tif 000005
【図５】
0004045003.tif 000006
【図６】
0004045003.tif 000007